(57)【要約】【課題】移動端末装置が制御対象機器の設置場所から所定の位置に入ったとき、制御対象機器の制御を実行する見守り安心システム、見守り安心方法、及びそのプログラムを提供する。【解決手段】移動端末装置１０１が予め登録した位置に入ったとき、移動端末装置１０１は宅内装置１０３の撮像手段３０５に撮像指示を行い、表示手段２０１に撮像データを表示するため、家にたどり着く前にあらかじめ侵入者がいないかどうかを確認することができるため、未然に使用者の危険を避けることが可能となる。【選択図】図１
2005269491.tif 000002
【特許請求の範囲】
【請求項１】
宅内の様子を撮像する撮像手段と、前記撮像手段と通信するための宅内通信手段と、外部とのネットワークを可能とするための外部通信手段と、前記撮像手段、宅内通信手段、外部通信手段を制御する制御手段とで構成された宅内装置と、前記外部通信手段とのネットワークを可能とするための情報通信手段と、移動端末装置の現在の位置を検出し現在位置データを出力する位置検出手段と、前記情報通信手段、位置検出手段を制御する制御手段と、表示手段とで構成された移動端末装置からなり、前記位置検出手段からの移動端末装置の前記現在位置データが予め登録した位置に入ったとき、前記移動端末装置は前記通信手段を用いて前記撮像手段に撮像指示を行い、撮像したデータを受信して前記表示手段に表示する見守り安心システム。
【請求項２】
前記移動端末装置は前記宅内装置から撮像データを受信したとき、使用者に受信を報知することを特徴とした請求項１に記載の見守り安心システム。
【請求項３】
前記宅内装置は前記撮像手段の撮像データを記憶する記憶手段を備えることを特徴とした請求項１または２に記載の見守り安心システム。
【請求項４】
前記移動端末装置は前記宅内装置から撮像データを受信したとき前記表示手段に通報ボタンを表示し、使用者が前記通報ボタンを押下すると使用者宅の個人データと前記撮像データを予め登録している連絡先への転送指示を行うことを特徴とした請求項１〜３のいずれか１項に記載の見守り安心システム。
【請求項５】
前記表示手段に前記通報ボタンの表示を行うか否かを、前記移動端末装置が前記宅内装置から撮像データを受信した時に選択させることを特徴とした請求項４に記載の見守り安心システム。
【請求項６】
移動端末装置の現在の位置を検出し現在位置データを出力する位置検出手順と、前記位置検出手順において移動端末装置の前記現在位置データが予め登録した位置に入ったときに前記移動端末装置が前記宅内装置の撮像手段に撮像指示を行う手順と、前記撮像データを受信して前記移動端末装置の表示手段に表示する手順とを備えることを特徴とした見守り安心方法。
【請求項７】
前記移動端末装置は前記宅内装置から撮像データを受信した時、使用者に受信を報知する手順を備えることを特徴とした請求項６に記載の見守り安心方法。
【請求項８】
前記移動端末装置は前記宅内装置から撮像データを受信した時に前記表示手段に通報ボタンを表示し、使用者が前記通報ボタンを押下すると使用者宅の個人データと前記撮像データを予め登録している連絡先への転送指示を行う手順を備えることを特徴とした請求項６または７に記載の見守り安心方法。
【請求項９】
前記表示手順に前記通報ボタンの表示を行うか否かを、前記移動端末装置が前記宅内装置から撮像データを受信した時に選択させる手順を備えることを特徴とした請求項８に記載の見守り安心方法。
【請求項１０】
請求項１〜５のいずれか１項記載の見守り安心システムの機能の少なくとも一部をコンピュータに実現させるためのプログラム。
【発明の詳細な説明】
【技術分野】
【０００１】
本発明は、制御対象機器の遠隔的な制御に関し、例えば移動端末装置が制御対象機器の設置場所から所定の位置に入ったとき、制御を実行する見守り安心システム、見守り安心方法、及びそのプログラムに関するものである。
【背景技術】
【０００２】
従来、この種の非常事態通報装置は、非常事態の発生を検知する検知手段と、前記非常事態の証拠画像を撮影し、この証拠画像をデジタルデータで記録する撮影手段と、前記検知手段からの信号に基づいて、前記非常事態の発生現場の位置情報と共に前記証拠画像のデータを監視センタに送信するシステムがある（例えば特許文献１参照）。
【０００３】
図７は、特許文献１に記載された従来の非常事態通報装置の構成図を示すものである。
図７に示すように、非常事態通報装置７１０は、非常事態検知部７１７、現在位置測定部７１８、撮影装置７１９、通信装置７２１を備えている。撮影装置７１９は、簡易型デジタルカメラである。これらは、自動車７１１に設置される。ピッキングなどの不正な方法によりドアロックが解除された場合には、非常事態検知部７１７が検知信号を発する。この検知信号に基づいて、撮影装置７１９が証拠画像を撮影する。また、現在位置測定部７１８は、ＧＰＳ衛星７３０より位置情報を取得する。これらの情報が監視センタ７１３に自動的に送られる。
【特許文献１】特開２００３−６７６２号公報
【発明の開示】
【発明が解決しようとする課題】
【０００４】
しかしながら、前記従来の構成では、非常事態が検知された後の警察の捜査や検証に有用な情報を提供することは可能であるが、例えば外出先から家にたどり着く前に、宅内に侵入者がいないかどうかをあらかじめ確認することはできない。従って、使用者は用心しながらも自宅内で侵入者と鉢合わせになるとか、さらには使用者に直接危険が降りかかるなどの課題があった。また、車などで外出していた場合、車が家に到着するときに侵入者が逃避するケースもあり、使用者に直接的な危険がなくとも盗難や自宅の破壊などが行われ、捜査を開始しても、犯人逮捕の手がかりになる外見や顔といった特徴を見逃すことになるため、家にたどり着く前に宅内の状況を把握することは必要である。
【０００５】
本発明は、前記従来の課題を解決するもので、位置検出手段の検出により移動端末装置の現在位置が予め登録した位置に入ったとき、移動端末装置は撮像手段を備えた宅内装置に撮像指示を行い、移動端末装置の表示手段に撮像データを表示する構成とした見守り安心システムを提供することを目的とする。
【課題を解決するための手段】
【０００６】
前記従来の課題を解決するために、本発明の見守り安心システム、見守り安心方法、及びそのプログラムは、宅内の様子を撮像する撮像手段と、前記撮像手段と通信するための宅内通信手段と、外部とのネットワークを可能とするための外部通信手段と、前記撮像手段、宅内通信手段、外部通信手段を制御する制御手段とで構成された宅内装置と、前記外部通信手段とのネットワークを可能とするための情報通信手段と、移動端末装置の現在の位置を検出し現在位置データを出力する位置検出手段と、前記情報通信手段、位置検出手段を制御する制御手段と、表示手段とで構成された移動端末装置からなり、前記位置検出手段からの移動端末装置の前記現在位置データが予め登録した位置に入ったとき、前記移動端末装置は前記通信手段を用いて前記撮像手段に撮像指示を行い、撮像したデータを受信して前記表示手段に表示することを特徴としたものである。
【０００７】
これによって、外出中でも宅内の侵入者の撮像が遠隔操作で可能になり、家にたどり着く前にあらかじめ侵入者がいないかどうかを確認することができるため、未然に使用者は危険を避けることが可能となる。
【発明の効果】
【０００８】
本発明の見守り安心システム、見守り安心方法、及びそのプログラムは、移動端末装置の現在位置が予め登録した位置に入ったとき、移動端末装置は撮像手段を備えた宅内装置に撮像指示を行い、移動端末装置の表示手段に撮像データを表示することから、外出中でも宅内の侵入者の撮像が遠隔操作で可能になり、家にたどり着く前にあらかじめ侵入者がいないかどうかを確認することができるため、未然に使用者は危険を避けることが可能となる。
【０００９】
また、移動端末装置は前記宅内装置から撮像データを受信したとき前記表示手段に通報ボタンを表示し、使用者が前記通報ボタンを押下すると使用者宅の個人データと前記撮像データを予め登録している連絡先への転送指示を行うことから、侵入者の存在で驚きうろたえている場面でも、通報した者（この場合使用者）と通報を受けた者（例えば警察や警備保証会社）の間で情報の伝達がすばやく行うことができるため、例えば警察は現場へ急行し使用者の安全確保や侵入者の捕獲を迅速に行うことができる。また、警察はたとえその場で侵入者を取り逃がした場合でも、警察署へ送信されてきた撮像データを警察署または事件現場から関連部署へ配布することができ、迅速に指名手配を発令することや地域住民に危険を呼びかけることが可能となる。
【発明を実施するための最良の形態】
【００１０】
第１の発明は、宅内の様子を撮像する撮像手段と、前記撮像手段と通信するための宅内通信手段と、外部とのネットワークを可能とするための外部通信手段と、前記撮像手段、宅内通信手段、外部通信手段を制御する制御手段とで構成された宅内装置と、前記外部通信手段とのネットワークを可能とするための情報通信手段と、移動端末装置の現在の位置を検出し現在位置データを出力する位置検出手段と、前記情報通信手段、位置検出手段を制御する制御手段と、表示手段とで構成された移動端末装置からなり、前記位置検出手段からの移動端末装置の前記現在位置データが予め登録した位置に入ったとき、前記移動端末装置は前記通信手段を用いて前記撮像手段に撮像指示を行い、撮像したデータを受信して前記表示手段に表示する見守り安心システムであることを特徴とし、外出中でも宅内の侵入者の撮像が遠隔操作で可能になり、家にたどり着く前にあらかじめ侵入者がいないかどうかを確認することができるため、未然に使用者は危険を避けることが可能となる。
【００１１】
第２の発明は、特に、第１の発明の見守り安心システムにおいて、前記移動端末装置は前記宅内装置から撮像データを受信したとき、使用者に受信を報知することを特徴とし、撮像完了の報知により、使用者は家にたどり着く前に確実に自宅内の様子を確認できることから、侵入者からの危険を避けることができる。
【００１２】
第３の発明は、特に、第１または第２の発明の見守り安心システムにおいて、前記宅内装置は前記撮像手段の撮像データを記憶する記憶手段を備えることを特徴とし、例えば警察から撮像後しばらく経過した後に撮像データを要求された場合でも、容易にその時点の撮像データを提供することができ、警察の捜査への協力ができる。
【００１３】
第４の発明は、特に、第１〜３のいずれか１つの発明の見守り安心システムにおいて、前記移動端末装置は前記宅内装置から撮像データを受信したとき前記表示手段に通報ボタンを表示し、使用者が前記通報ボタンを押下すると使用者宅の個人データと前記撮像データを予め登録している連絡先への転送指示を行うことを特徴とし、侵入者の存在で驚きうろたえている場面でも、通報した者（この場合使用者）と通報を受けた者（例えば警察や警備保証会社）の間で情報の伝達がすばやく行うことができるため、例えば警察は現場へ急行し使用者の安全確保や侵入者の捕獲を迅速に行うことができる。また、警察はたとえその場で侵入者を取り逃がした場合でも、警察署へ送信されてきた撮像データを警察署または事件現場から関連部署へ配布することができ、迅速に指名手配を発令することや地域住民に危険を呼びかけることが可能となる。
【００１４】
第５の発明は、特に、第４の発明の見守り安心システムにおいて、前記表示手段に前記通報ボタンの表示を行うか否かを、前記移動端末装置が前記宅内装置から撮像データを受信した時に選択させることを特徴とし、通報ボタンの表示を行わない選択が可能なことから、撮像データを受信したときには撮像データの確認を優先的に行いたいという使用者にとって表示手段の面積を有効に使用することができサービス性が高くなる。
【００１５】
第６の発明は、移動端末装置の現在の位置を検出し現在位置データを出力する位置検出手順と、前記位置検出手順において移動端末装置の前記現在位置データが予め登録した位置に入ったときに前記移動端末装置が前記宅内装置の撮像手段に撮像指示を行う手順と、前記撮像データを受信して前記移動端末装置の表示手段に表示する手順とを備えることを特徴とし、外出中でも宅内の侵入者の撮像が遠隔操作で可能になり、家にたどり着く前にあらかじめ侵入者がいないかどうかを確認することができるため、未然に使用者は危険を避けることが可能となる。
【００１６】
第７の発明は、特に、第６の発明の見守り安心方法において、前記移動端末装置は前記宅内装置から撮像データを受信した時、使用者に受信を報知する手順を備えることを特徴とし、撮像完了の報知により、使用者は家にたどり着く前に確実に自宅内の様子を確認できることから、侵入者からの危険を避けることができる。
【００１７】
第８の発明は、特に、第６または第７の発明の見守り安心方法において、前記移動端末装置は前記宅内装置から撮像データを受信した時に前記表示手段に通報ボタンを表示し、使用者が前記通報ボタンを押下すると使用者宅の個人データと前記撮像データを予め登録している連絡先への転送指示を行う手順を備えることを特徴とし、侵入者の存在で驚きうろたえている場面でも、通報した者（この場合使用者）と通報を受けた者（例えば警察や警備保証会社）の間で情報の伝達がすばやく行うことができるため、例えば警察は現場へ急行し使用者の安全確保や侵入者の捕獲を迅速に行うことができる。また、警察はたとえその場で侵入者を取り逃がした場合でも、警察署へ送信されてきた撮像データを警察署または事件現場から関連部署へ配布することができ、迅速に指名手配を発令することや地域住民に危険を呼びかけることが可能となる。
【００１８】
第９の発明は、特に、第８の発明の見守り安心方法において、前記表示手順に前記通報ボタンの表示を行うか否かを、前記移動端末装置が前記宅内装置から撮像データを受信した時に選択させる手順を備えることを特徴とし、通報ボタンの表示を行わない選択が可能なことから、撮像データを受信したときには撮像データの確認を優先的に行いたいという使用者にとって表示手段の面積を有効に使用することができサービス性が高くなる。
【００１９】
第１０の発明は、特に、第１〜５の発明のいずれか１項の見守り安心システムの機能の少なくとも一部をコンピュータに実現させるためのプログラムである。そして、プログラムであるので、電気・情報機器、コンピュータ、サーバー等のハードリソースを協働させて本発明の見守り安心システムの少なくとも一部を容易に実現することができる。また記録媒体に記録したり通信回線を用いてプログラムを配信したりすることでプログラムの配布・更新やインストール作業が簡単にできる。
【００２０】
以下本発明の実施の形態について、図面を参照しながら説明する。なお、この実施の形態によって本発明が限定されるものではない。
【００２１】
（実施の形態１）
図１は本発明の第１の実施の形態における見守り安心システムの構成図、図２、図３は本発明の第１の実施の形態における移動端末装置、宅内装置のブロック図を示すものである。
【００２２】
図１において、移動端末装置１０１は位置検出手段２０５としてＧＰＳ（Ｇｌｏｂａｌ  Ｐｏｓｉｔｉｏｎｉｎｇ  Ｓｙｓｔｅｍ）機能を備えている。図１〜図３において、移動端末装置１０１が予め登録した位置に入ったとき、移動端末装置１０１は宅内装置１０３の撮像手段３０５に撮像指示を行い、移動端末装置１０１の表示手段２０１に撮像データを表示する。移動端末装置１０１と宅内装置１０３は、インターネットなど宅外通信回線１０２を介して接続されている。宅内装置１０３の制御手段３０３と撮像手段３０５は、宅内通信手段３０４によって接続されている。宅内通信手段３０４は無線ＬＡＮ、Ｂｌｕｅｔｏｏｔｈ（Ｒ）または特定小電力無線など無線を媒体として利用することも可能である。
【００２３】
以上のように構成された見守り安心システムについて、以下その動作、作用を説明する。
【００２４】
図２において、移動端末装置１０１に、宅内装置１０３の機器情報と、宅内装置１０３に撮像指示を送信するための位置を登録する必要がある。まず、宅内装置１０３に撮像指示を送信するための位置の登録方法について説明する。移動端末装置１０１が宅内装置１０３に撮像指示を送信する位置にある時、移動端末装置１０１のキー入力手段２０２の所定の操作により移動端末装置１０１が機器登録モードへ移行し、撮像指示を送信する位置を登録する。
【００２５】
次に移動端末装置１０１への宅内装置１０３の機器情報の登録方法についてであるが、先に述べたように、キー入力手段２０２の所定の操作により移動端末装置１０１を機器登録モードへ移行させる。同じく宅内装置１０３も所定の操作により機器登録モードへ移行させると、制御手段２０３は宅内装置１０３から送信される機器情報をアンテナ２０６、情報通信手段２０４を介して受信する。機器情報には、機器名、メーカ名、製造年月日などが含まれている。
【００２６】
移動端末装置１０１の位置検出手段２０５はＧＰＳ用の衛星からの電波受信のためのアンテナ２０７に接続され、移動端末装置１０１の現在の位置をチェックする。このチェックは周期的（時刻指定や現在位置データによる場所指定）、または間欠的（数秒または数十秒間隔で継続的に）、またはそれらの複合で実行される。
【００２７】
制御手段２０３は、図１に示すように移動端末装置１０１が自宅１０４から移動端末装置１０１に予め登録している位置へ移動した場合、位置検出手段２０５が出力する現在位置データから移動端末装置１０１が前記移動端末装置１０１に予め登録している位置に入ったことを認識する。制御手段２０３は予め登録している位置を認識すると、自宅１０４に設置の宅内装置１０３に対して撮像指示を情報通信手段２０４とアンテナ２０６を介して送信する。撮像指示により宅内装置１０３に接続された撮像手段３０５は宅内の様子を撮像し、移動端末装置１０１は宅内装置１０３から送信された撮像データを情報通信手段２０４とアンテナ２０６を介して受信し、制御手段２０３は受信した撮像データを表示手段２０１に表示する。
【００２８】
これによって、外出中でも宅内の侵入者の撮像が遠隔操作で可能になり、家にたどり着く前にあらかじめ侵入者がいないかどうかを確認することができるため、未然に使用者は危険を避けることが可能となる。表示手段２０１に宅内装置１０３から受信した撮像データの表示が行われた時、使用者がこの報知画面に気づくように移動端末装置１０１からアラーム音や音声メッセージ、振動などを発生することが好ましい。これによって使用者は家にたどり着く前に確実に自宅内の様子を確認できることから、侵入者からの危険を避けることができる。
【００２９】
図３において、移動端末装置１０１から撮像指示の送信が行われると、宅内装置１０３はインターネットなど宅外通信回線１０２と外部通信手段３０１を介して撮像指示を受信する。制御手段３０３は撮像指示を受信すると、撮像手段３０５に宅内通信手段３０４を介して撮像指示を送信する。撮像手段３０５は撮像指示を受信すると自宅１０４内の撮影を開始する。
【００３０】
撮像手段３０５が撮像を開始する時、撮像角度や撮像枚数、あるいは撮像手段が部屋毎に設置され複数存在している場合の、撮像を開始する部屋の順番などを宅内装置の所定の操作で任意に設定できる。また、移動端末装置１０１においても移動端末装置１０１への宅内装置１０３の登録時に乗じて前記設定は可能としても良い。この場合、移動端末装置１０１は撮像指示の送信と同時にこれら設定情報も送信する。
【００３１】
撮像手段３０５が撮像したデータは宅内通信手段３０４を介して制御手段３０３へ送信され、制御手段３０３は移動端末装置１０１に対して外部通信手段３０１、宅外通信回線１０２を介して送信する。制御手段３０３は移動端末装置１０１に撮像データを送信すると同時に記憶手段３０２に撮像データを記憶する。これによって、例えば警察から撮像後しばらく経過した後に撮像データを要求された場合でも、容易にその時点の撮像データを提供することができ、警察の捜査への協力ができる。
【００３２】
図４は移動端末装置１０１の表示手段２０１に宅内装置から受信した撮像データを表示したイメージ図である。図４の場合、使用者の家に侵入者がいることを表している。宅内装置１０３には、撮像手段３０５が撮像を開始する時の撮像角度、撮像枚数、撮像する部屋の順番などが予め設定されており、移動端末装置１０１は宅内装置１０３からその設定に基づいた撮像データを受信するが、届いた撮像データ以外の撮像角度、倍率などを変更した撮像データが更に必要な場合は、追加で移動端末装置１０１から撮像指示を送信することも可能である。これによって例えば予め設定していた撮像角度では見えない部分も確認することができ、他に武器を隠し持っているか否かを確認することができ、警察などへ届けをする場合の詳細情報を更に得ることができる。
【００３３】
図５は移動端末装置１０１の表示手段２０１に宅内装置から受信した撮像データと通報ボタンを表示したイメージ図である。図４と同様に移動端末装置１０１の表示手段２０１に宅内装置から受信した撮像データに加え、通報を行うための通報ボタン５０１を同じ画面に表示し、使用者が通報ボタン５０１を押下すると使用者宅の住所、氏名などの個人データと撮像データを予め登録している連絡先へ転送することができる。
【００３４】
例えば、使用者の家に侵入者の確認をした場合、通常はその存在で驚き緊急連絡先へ連絡ができても自宅の状況や使用者宅の住所、名前、目標となる建物のような使用者の個人データを正確に伝えることは非常に困難である。しかし、この緊急ボタンの押下によって自宅の状況や使用者の個人データと前記撮像データを予め登録している連絡先へ転送が可能なため、侵入者の存在で驚きうろたえている場面でも、通報した者（この場合使用者）と通報を受けた者（例えば警察や警備保証会社）の間で情報の伝達がすばやく行うことが可能となり、例えば警察は現場へ急行し使用者の安全確保や侵入者の捕獲を迅速に行うことができる。
【００３５】
また、警察はたとえその場で侵入者を取り逃がした場合でも、警察署へ送信されてきた撮像データを警察署または事件現場から関連部署へ配布することができ、迅速に指名手配を発令することや地域住民に危険を呼びかけることが可能となる。
【００３６】
通報ボタン１０１の表示は、移動端末装置１０１の所定の操作により移動端末装置１０１が宅内装置１０３から撮像データを受信と共に表示させるか否かを使用者に選択させることができる。これによって撮像データを受信したときには撮像データの確認を優先的に行いたいという使用者にとって表示手段の面積を有効に使用することができ、サービス性が高くなる。
【００３７】
図４、図５において、表示手段２０１に宅内装置１０３から受信した撮像データの表示が行われた時、使用者がこの報知画面に気づくように移動端末装置１０１からアラーム音や音声メッセージ、振動などを発生することが好ましい。これによって使用者は家にたどり着く前に確実に自宅内の様子を確認できることから、侵入者からの危険を避けることができる。
【００３８】
図６は本発明の移動端末装置１０１の動作を説明するためのフローチャートである。図６において、移動端末装置１０１の制御手段２０３は、現在の通信モードが現在位置確認モードであるか受信待ち受けモードであるか確認する（ＳＴＥＰ１）。
【００３９】
ここでは移動端末装置１０１が予め登録した位置に入った時に撮像指示を送信し、撮像データを表示手段２０１に表示する過程を説明するため、現在位置確認モードから説明を始める。
【００４０】
移動端末装置１０１の現在の通信モードが現在位置確認モードである場合（ＳＴＥＰ１，現在位置確認モード）、制御手段２０３は位置検出手段２０５が出力する現在位置データから現在位置を確認し（ＳＴＥＰ２）、移動端末装置１０１に予め登録している撮像指示を送信する位置に入っているか否かを確認する（ＳＴＥＰ３）。移動端末装置１０１が撮像指示を送信する位置に入っていない場合（ＳＴＥＰ３，Ｎｏ）、再び移動端末装置１０１の現在の通信モードの判定処理へ戻る（ＳＴＥＰ１）。
【００４１】
この現在の通信モードの判定処理は周期的（時刻指定や現在位置データによる場所指定）、または間欠的（数秒または数十秒間隔で継続的に）、またはそれらの複合で実行される。
【００４２】
移動端末装置１０１が撮像指示を送信する位置に入っている場合（ＳＴＥＰ３，Ｙｅｓ）、自宅１０４に設置の宅内装置１０３に撮像指示を情報通信手段２０４とアンテナ２０６を介して送信し（ＳＴＥＰ４）、今度は撮像データを受信するため移動端末装置１０１の通信モードを受信待ち受けモードにセットし、再び移動端末装置１０１の現在の通信モードの判定処理へ戻る（ＳＴＥＰ１）。
【００４３】
次に、移動端末装置１０１の現在の通信モードの判定を行うが（ＳＴＥＰ１）、先の処理の流れより、現在の移動端末装置１０１の通信モードが受信待ち受けモードにセットされているので、この通信モードの判定は受信待ち受けモードに処理を移す（ＳＴＥＰ１，受信待ち受けモード）。
【００４４】
受信待ち受けモードに入ると、移動端末装置１０１の制御手段２０３は、撮像データを受信したか否かを判定し（ＳＴＥＰ６）、撮像データを受信した場合（ＳＴＥＰ６，Ｙｅｓ）、移動端末装置１０１の表示手段２０１に撮像データを表示し、使用者に撮像データを受信したことを報知する（ＳＴＥＰ７）。この時使用者がこの報知画面に気づくように移動端末装置１０１からアラーム音や音声メッセージ、振動などを発生することが好ましく、これによって使用者は家にたどり着く前に確実に自宅内の様子を確認することができる。
【００４５】
表示手段２０１に撮像データを表示すると、表示手段２０１に通報ボタン５０１を表示する設定であるか否かを判定する（ＳＴＥＰ８）。通報ボタン５０１を表示する設定の場合（ＳＴＥＰ８，Ｙｅｓ）、通報ボタン５０１を表示手段２０１に表示し（ＳＴＥＰ９）、使用者の通報ボタン５０１の押下を判定する（ＳＴＥＰ１０）。
【００４６】
通報ボタン５０１が押下された場合（ＳＴＥＰ１０，Ｙｅｓ）、制御手段２０３は自宅１０４の宅内装置１０３に対して使用者宅の住所、氏名、目標となる建物などの個人データと撮像データを予め登録している連絡先へ送信させる指示を情報通信手段２０４とアンテナ２０６を介して送信し（ＳＴＥＰ１１）、今度は次回の撮像指示の送信を行うために制御手段２０３は通信モードを現在位置確認モードにセットし（ＳＴＥＰ１３）再び移動端末装置１０１の現在の通信モードの判定処理へ戻る（ＳＴＥＰ１）。
【００４７】
通報ボタン５０１を表示した状態（ＳＴＥＰ９）で通報ボタン５０１が押下されなかった場合（ＳＴＥＰ１０，Ｎｏ）キー入力手段２０２の操作によって通報ボタン５０１の押下をキャンセルされたかどうかを判定し（ＳＴＥＰ１２）、キャンセルされた場合（ＳＴＥＰ１２，Ｙｅｓ）次回の撮像指示の送信を行うために制御手段２０３は通信モードを現在位置確認モードにセットし（ＳＴＥＰ１３）再び移動端末装置１０１の現在の通信モードの判定処理へ戻る（ＳＴＥＰ１）。
【００４８】
移動端末装置１０１の現在の通信モードが受信待ち受けモードであり、かつ宅内装置１０３から撮像データを受信していない場合（ＳＴＥＰ６，Ｎｏ）または通報ボタン５０１を表示しない設定の場合（ＳＴＥＰ８，Ｎｏ）は受信待ち受けモードを継続し、再び移動端末装置１０１の現在の通信モードの判定を行い（ＳＴＥＰ１）、受信待ち受けモードに入る（ＳＴＥＰ１，受信待ち受けモード）。また、通報ボタン５０１が押下されていない（ＳＴＥＰ１０，Ｎｏ）かつキー入力手段２０２の操作によって通報ボタン５０１の押下をキャンセルされた場合（ＳＴＥＰ１２，Ｎｏ）も処理は再び移動端末装置１０１の現在の通信モードの判定を行い（ＳＴＥＰ１）、受信待ち受けモードに入る（ＳＴＥＰ１，受信待ち受けモード）。
【００４９】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムであれば、磁気メディアや光メディアなどの記録媒体に記録したりインターネットなどの通信回線を用いて配信することでプログラムの配布・更新やインストール作業が簡単にできる。
【００５０】
なお、本実施の形態では、移動端末装置を、使用者が携帯して用いる携帯端末を例にして説明したが、移動端末装置は自動車など乗り物が備えるナビゲーション装置であってもよい。また位置情報の検出はＧＰＳに限らず移動体通信網のセルの移動情報などを用いても良い。
【産業上の利用可能性】
【００５１】
以上のように、本発明にかかる見守り安心システム、見守り安心方法、及びそのプログラムは、移動端末装置の現在位置が予め登録した位置に入ったとき、移動端末装置は撮像手段を備えた宅内装置に撮像指示を行い、移動端末装置の表示手段に撮像データを表示することから、外出中でも宅内での侵入者の撮像が遠隔操作で可能になり、家にたどり着く前にあらかじめ侵入者がいないかどうかを確認することができるため、未然に使用者の危険を避けることが可能となる。
【００５２】
また、移動端末装置は前記宅内装置から撮像データを受信したとき前記表示手段に通報ボタンを表示し、使用者が前記通報ボタンを押下すると使用者宅の住所、氏名などの個人データと前記撮像データを予め登録している連絡先へ転送することから、侵入者の存在で驚きうろたえている場面でも、通報した者（この場合使用者）と通報を受けた者（例えば警察や警備保証会社）の間で情報の伝達がすばやく行うことができるため、例えば警察は現場へ急行し使用者の安全確保や侵入者の捕獲を迅速に行うことができる。また、警察はたとえその場で侵入者を取り逃がした場合でも、警察署へ送信されてきた撮像データを警察署または事件現場から関連部署へ配布することができ、迅速に指名手配を発令することや地域住民に危険を呼びかけることが可能となる。
【図面の簡単な説明】
【００５３】
【図１】本発明の実施の形態１におけるの構成図
【図２】本発明の実施の形態１における移動端末装置のブロック図
【図３】本発明の実施の形態１における宅内装置のブロック図
【図４】本発明の実施の形態１における自宅の撮像データを表示した画面のイメージ図
【図５】本発明の実施の形態１における自宅の撮像データと通報ボタンを表示した画面のイメージ図
【図６】本発明の実施の形態１における移動端末装置の動作を説明するためのフローチャート
【図７】従来の非常事態通報装置のブロック図
【符号の説明】
【００５４】
１０１  移動端末装置
１０３  宅内装置
２０１  表示手段
２０３  制御手段（移動端末装置）
２０４  情報通信手段
２０５  位置検出手段
３０１  外部通信手段
３０２  記憶手段
３０３  制御手段（宅内装置）
３０４  宅内通信手段
３０５  撮像手段
５０１  通報ボタン
【図１】
2005269491.tif 000003
【図２】
2005269491.tif 000004
【図３】
2005269491.tif 000005
【図４】
2005269491.tif 000006
【図５】
2005269491.tif 000007
【図６】
2005269491.tif 000008
【図７】
2005269491.tif 000009